(57)【要約】【課題】レンズ鏡胴に対するグリップの位置を簡素な構成によって可変とし、撮影者への負担を軽減する。【解決手段】結像光学系を構成する複数の光学要素を保持したレンズ鏡胴１０と、前記レンズ鏡胴に着脱可能に固定されるグリップ１１と、を備え、前記グリップは、前記レンズ鏡胴の外周を包持する固定具３０Ａを有し、前記固定具は、前記結像光学系の光軸を中心として前記グリップの前記レンズ鏡胴に対する回転角度を調整可能に、前記グリップを前記レンズ鏡胴に固定するレンズ装置。【選択図】図４
2015079015.tif 000002
【特許請求の範囲】
【請求項１】
結像光学系を構成する複数の光学要素を保持したレンズ鏡胴と、
前記レンズ鏡胴に着脱可能に固定されるグリップと、
を備え、
前記グリップは、前記レンズ鏡胴の外周を包持する固定具を有し、
前記固定具は、前記結像光学系の光軸を中心として前記グリップの前記レンズ鏡胴に対する回転角度を調整可能に、前記グリップを前記レンズ鏡胴に固定するレンズ装置。
【請求項２】
請求項１に記載のレンズ装置であって、
前記グリップが前記レンズ鏡胴に固定された状態において、前記光軸を中心とする前記グリップと前記レンズ鏡胴との相対回転を規制する回転規制部を備えるレンズ装置。
【請求項３】
請求項２に記載のレンズ装置であって、
前記固定具の内周及び該固定具に包持される前記レンズ鏡胴の被包持部の外周は、正多角形状に形成されており、
前記回転規制部は、前記固定具の内周及び前記被包持部の外周によって構成されるレンズ装置。
【請求項４】
請求項２に記載のレンズ装置であって、
前記固定具の内周及び該固定具に包持される前記レンズ鏡胴の被包持部の外周の一方に凸部が設けられ、他方に前記凸部が係入する凹部が周方向に間隔をおいて複数設けられており、
前記回転規制部は、互いに係合する前記凸部及び前記凹部によって構成されるレンズ装置。
【請求項５】
請求項４に記載のレンズ装置であって、
前記グリップは、前記レンズ鏡胴に対して光軸方向にスライド移動可能に固定され、
前記複数の凹部の各々は、光軸方向の一端が開放されており、
前記グリップの光軸方向のスライド移動に伴って、前記凸部及び前記凹部が係合され、また係脱されるレンズ装置。
【請求項６】
請求項１から５のいずれか一項に記載のレンズ装置であって、
前記複数の光学要素は、少なくとも一つの可動光学要素を含み、
前記レンズ鏡胴は、前記可動光学要素を操作するための操作環を有しており、
前記グリップは、前記操作環を回転駆動するためのドライブユニットを内蔵しているレンズ装置。
【請求項７】
請求項１から６のいずれか一項に記載のレンズ装置を備える撮像装置。
【発明の詳細な説明】
【技術分野】
【０００１】
本発明は、レンズ鏡胴の外周に着脱可能に固定されるグリップを備えるレンズ装置及び撮像装置に関する。
【背景技術】
【０００２】
ＥＮＧ（Electronic News Gathering）カメラなどの肩担ぎカメラのレンズ装置において、レンズ鏡胴の外周にグリップが固定される場合がある。そして、グリップには、一般に、レンズ鏡胴に設けられたズーム操作環やアイリス操作環などの操作環を回転駆動するためのドライブユニットが搭載される。そのようなグリップを備えるレンズ装置は、グリップに設けられるドライブユニットの操作スイッチによって、ズームやアイリスを調整可能に構成される。
【０００３】
グリップは、典型的には、レンズ鏡胴にネジ固定されるため、レンズ鏡胴に対するグリップの位置は不変であるが、体格や嗜好といった撮影者の個人差、あるいは撮影条件などに応じてグリップの位置を可変とし、撮影者への負担を軽減するように構成されたレンズ装置も提案されている（例えば、特許文献１参照）。
【０００４】
特許文献１に記載されたレンズ装置において、グリップは、ドライブユニットを内蔵し、位置を不変にレンズ鏡胴に固定される駆動部と、撮影者によって把持される操作部とに分割されている。操作部は、光軸に平行な直線を中心とする回転角度を調整可能に駆動部に連結され、それにより、レンズ鏡胴に対する位置を可変とされている。
【先行技術文献】
【特許文献】
【０００５】
【特許文献１】特開平６−９８２２２号公報
【発明の概要】
【発明が解決しようとする課題】
【０００６】
特許文献１に記載されたレンズ装置においては、グリップが駆動部と操作部とに分割されて両者が回転可能に連結されるため、グリップの構成が複雑になり、また、重量が増大して撮影者への負担が増す虞がある。そして、駆動部と操作部とを回転可能に連結する機構部にはレンズ装置の重量が負荷されるため、機構部の劣化や破損が懸念される。
【０００７】
本発明は、上述した事情に鑑みなされたものであり、レンズ鏡胴に対するグリップの位置を簡素な構成によって可変とし、撮影者への負担を軽減することを目的とする。
【課題を解決するための手段】
【０００８】
（１）  結像光学系を構成する複数の光学要素を保持したレンズ鏡胴と、前記レンズ鏡胴に着脱可能に固定されるグリップと、を備え、前記グリップは、前記レンズ鏡胴の外周を包持する固定具を有し、前記固定具は、前記結像光学系の光軸を中心として前記グリップの前記レンズ鏡胴に対する回転角度を調整可能に、前記グリップを前記レンズ鏡胴に固定するレンズ装置。
（２）  上記（１）のレンズ装置を備える撮像装置。
【発明の効果】
【０００９】
本発明によれば、レンズ鏡胴に対するグリップの位置を簡素な構成によって可変とし、撮影者への負担を軽減することができる。
【図面の簡単な説明】
【００１０】
【図１】本発明の実施形態を説明するための、レンズ装置を備える撮像装置の一例の構成を示す模式図である。
【図２】図１のレンズ装置の斜視図である。
【図３】図１のレンズ装置のドライブユニットの構成を示す模式図である。
【図４】図１のレンズ装置におけるグリップの固定具の構成を示す模式図である。
【図５】グリップの固定具の他の例の構成を示す図である。
【図６】グリップの固定具の他の例の構成を示す図である。
【図７】グリップの固定具の他の例の構成を示す図である。
【図８】グリップの固定具の他の例の構成を示す図である。
【図９】グリップの固定具の他の例の構成を示す図である。
【図１０】レンズ装置の他の例の構成を示す模式図である。
【図１１】図１０のレンズ装置のマウントの構成を示す模式図である。
【図１２】図１１のマウントの変形例の構成を示す斜視図である。
【発明を実施するための形態】
【００１１】
図１は、本発明の実施形態を説明するための、レンズ装置及びこのレンズ装置を備える撮像装置の一例の構成を示す。
【００１２】
撮像装置１は、ＣＣＤイメージセンサ等の撮像素子を有する撮像装置本体２と、撮像装置本体２に着脱可能に固定されたレンズ装置３とを備えている。そして、レンズ装置３は、円筒形状等の筒状の鏡胴１０と、この鏡胴１０の外周に着脱可能に固定されるグリップ１１とを備えている。
【００１３】
鏡胴１０には、撮像装置本体２の撮像素子に結像させる光学系を構成する、ズームレンズやフォーカスレンズなどのレンズ、アイリス、等の光学要素が保持されている。また、鏡胴１０の基部にはマウント１２が設けられている。レンズ装置３は、マウント１２を撮像装置本体２に設けられているレンズ装着部に係合させることによって撮像装置本体２に固定されている。
【００１４】
撮影者Ｈは、典型的には、撮像装置本体２を右肩に担ぎ、レンズ装置３のグリップ１１を右手７で把持して撮像装置１を固定して、撮像装置本体２に設けられたファインダ４を右目で覗きながら、レンズ装置３のズームやフォーカスやアイリスなどを調整し、被写体を撮影することになる。
【００１５】
図２は、レンズ装置３の外観を示す。
【００１６】
鏡胴１０には、フォーカスを調整するためのフォーカスリング２０、ズームを調整するためのズームリング２１、アイリスを調整するためにアイリスリング２２が、鏡胴１０に収納された光学系の光軸まわりに回転可能に設けられている。フォーカスリング２０の回転に連動して、フォーカスレンズが光軸に沿って前後移動されてフォーカスが調整され、ズームリング２１の回転に連動して、ズームレンズが光軸に沿って前後移動されてズームが調整される。また、アイリスリング２２の回転に連動して、アイリスを構成する複数の絞り羽根が開閉されてアイリスが調整される。
【００１７】
グリップ１１には、上記の操作リング（フォーカスリング２０、ズームリング２１、アイリスリング２２）を電動で回転させるためのドライブユニットが搭載されている。そして、グリップ１１の外装には、ドライブユニットによってズームを調整するためのシーソースイッチ２３や、撮像装置１による録画のＯＮ／ＯＦＦを指示する録画スイッチ２４、等の各種の操作スイッチが設けられている。
【００１８】
図３は、ドライブユニットの構成を示す。
【００１９】
ドライブユニットは、モータ２５、モータ２５の回転トルクを操作リングに伝達する減速機構２６、操作リングに係合し、その操作リングの回転角度を検出するポテンショメータ２７、ポテンショメータ２７によって検出される回転角度に基づいてモータ２５を駆動する制御部２８を含んで構成されている。なお、図示は省略するが、モータ２５及び減速機構２６並びにポテンショメータ２７は、操作リング（フォーカスリング２０、ズームリング２１、アイリスリング２２）毎に設けられる。
【００２０】
ドライブユニットによってズームが調整される際には、シーソースイッチ２３が撮影者Ｈによって操作され、その操作量に応じてズームリング２１の回転角度を指示する指令信号がドライブユニットの制御部２８に入力される。そして、制御部２８は、ポテンショメータ２７によって検出されるズームリング２１の回転角度が、上記の指令信号に対応した回転角度に達するまでモータ２５を駆動する。それにより、ズームリング２１は所望の回転角度に設定され、ズームが調整される。
【００２１】
ドライブユニットによるフォーカスやアイリスの調整についても、フォーカスリング２０やアイリスリング２２の回転角度を指示する指令信号が外部（例えば、撮像装置本体２に設けられるオートフォーカス制御部や自動露出制御部など）からドライブユニットの制御部２８に入力される。そして、制御部２８は、ポテンショメータ２７によって検出されるフォーカスリング２０やアイリスリング２２の回転角度が、上記の指令信号に対応した回転角度に達するまでモータ２５を駆動する。
【００２２】
以上のように構成されるグリップ１１は、図２に示すように、固定具３０Ａによって鏡胴１０の外周に固定されている。図示の例では、光軸方向に間隔をおいて二つの固定具３０Ａが設けられており、各固定具３０Ａは、光軸方向に隣り合う操作リングの間に露呈している鏡胴１０の外周面に取り付けられている。
【００２３】
図４は、固定具３０Ａの構成を示す。
【００２４】
固定具３０Ａは、略半円筒状にそれぞれ形成された一対の包持部材３１を含んで構成されている。一対の包持部材３１は、間に鏡胴１０を挟んで円筒をなすように組み合わされ、各包持部材３１の周方向両側の対応する端部同士を連結され、鏡胴１０の外周を締め付けるように包持する。一対の包持部材３１の対応する端部同士を連結してなる連結部３２ａ，３２ｂは、一対の包持部材３１を組み合わせてなる円筒の周方向の二箇所に設けられ、連結部３２ａ，３２ｂのいずれにおいても、これを構成する一対の包持部材３１の端部同士は、固定用ネジ３３によって締結されている。
【００２５】
固定用ネジ３３を緩めることにより、グリップ１１は、光軸を中心として鏡胴１０に対して回転可能となる。鏡胴１０に対するグリップ１１の回転角度を適宜調整した後、固定用ネジ３３を締めることにより、一対の包持部材３１が鏡胴１０の外周を締め付けるように包持し、グリップ１１は、一対の包持部材３１の内周と鏡胴１０の外周との間に生じる摩擦によって、調整された回転角度に固定される。
【００２６】
図５は、グリップ１１の固定具の他の例の構成を示す。
【００２７】
図５に示す固定具３０Ｂは、二箇所の連結部３２ａ，３２ｂのうちの一方の連結部３２ａにおいて、これを構成する一対の包持部材３１の端部同士をヒンジ３４によって連結したものである。グリップ１１を鏡胴１０に固定するに際しては、他方の連結部３２ｂにおいて、これを構成する一対の包持部材３１の端部同士を固定用ネジ３３によって締結すればよく、グリップ１１の着脱が容易となる。
【００２８】
図６は、グリップ１１の固定具の他の例の構成を示す。
【００２９】
図６に示す固定具３０Ｃは、一対の包持部材３１の端部同士を、固定用ネジ３３に替えて係止爪３５によって連結したものである。かかる構成によれば、一対の包持部材３１の端部同士をワンタッチで連結することができ、グリップ１１の着脱が容易となる。なお、図５に示す例においては、二箇所の連結部３２ａ，３２ｂのいずれもが、これを構成する一対の包持部材３１の端部同士を係止爪３５によって連結するように構成されているが、図４に示す固定具３０Ｂと同様に、一方の連結部３２ａについては、これを構成する一対の包持部材３１の端部同士をヒンジ３４によって連結するように構成することもできる。
【００３０】
図７は、グリップ１１の固定具の他の例の構成を示す。
【００３１】
図７に示す固定具３０Ｄは、一対の包持部材３１が組み合わされてなる円筒の内周が正多角形状に形成され、一対の包持部材３１によって包持される鏡胴１０の被包持部分の外周もまた、一対の包持部材３１の内周と同じ正多角形状に形成されている。
【００３２】
正多角形状の一対の包持部材３１の内周と鏡胴１０の被包持部分の外周とが噛合するようにグリップ１１の回転角度が調整され、固定用ネジ３３が締められる。グリップ１１は、一対の包持部材３１の内周と鏡胴１０の被包持部の外周との噛合により、調整された回転角度に固定される。それにより、上述した固定具３０Ａ〜３０Ｃのように、一対の包持部材３１の内周と鏡胴１０の外周との間に生じる摩擦によってグリップ１１の回転を阻止する場合に比べて、グリップ１１をより確実に固定することができる。
【００３３】
なお、図示の例において、一対の包持部材３１の内周と鏡胴１０の被包持部分の外周は正八角形状に形成されているが、正多角形であれば角数は限定されず、角数が大きいほどグリップ１１の回転角度を細かく調整することができ、好ましい。
【００３４】
図８は、グリップ１１の固定具の他の例の構成を示す。
【００３５】
図８に示す固定具３０Ｅは、一対の包持部材３１によって包持される鏡胴１０の被包持部分の外周に凸部３６が設けられ、一対の包持部材３１が組み合わされてなる円筒の内周に、凸部３６が係入する凹部３７が設けられている。凹部３７は、周方向に間隔をおいて複数設けられている。
【００３６】
凸部３６がいずれかの凹部３７に係入するようにグリップ１１の回転角度が調整され、固定用ネジ３３が締められる。グリップ１１は、凸部３６及び凹部３７の係合により、調整された回転角度に固定される。それにより、上述した固定具３０Ａ〜３０Ｃのように、一対の包持部材３１の内周と鏡胴１０の外周との間に生じる摩擦によってグリップ１１の回転を阻止する場合に比べて、グリップ１１をより確実に固定することができる。
【００３７】
なお、凸部３６を一対の包持部材３１が組み合わされてなる円筒の内周に、そして、複数の凹部３７を鏡胴１０の被包持部分の外周に設けることもできる。
【００３８】
図９は、グリップ１１の固定具の他の例の構成を示す。
【００３９】
図９に示す固定具３０Ｆは、上述した固定具３０Ｅと同様に、鏡胴１０の被包持部分の外周に凸部３６が設けられ、一対の包持部材３１が組み合わされてなる円筒の内周に複数の凹部３７が設けられており、凸部３６及び凹部３７の係合によってグリップ１１の回転を阻止するよう構成されている。
【００４０】
そして、この固定具３０Ｆは、固定用ネジ３３を外して一対の包持部材３１の連結を解除することなく、グリップ１１の回転角度を調整可能に構成されている。具体的には、一対の包持部材３１は、固定用ネジ３３が締められた状態で、あるいは固定用ネジ３３が僅かに緩められた状態で、光軸方向にスライド移動可能に鏡胴１０の外周を包持する。複数の凹部３７の各々は、包持部材３１の光軸方向の一端に達して延在しており、片側が開放されている。
【００４１】
グリップ１１を光軸に沿って被写体側（又は像側）にスライド移動させると、凸部３６が凹部３７の開放端を介して凹部３７から外れ、凸部３６と凹部３７との係合が解除される。それにより、グリップ１１は、鏡胴１０に対して回転可能となる。鏡胴１０に対するグリップ１１の回転角度を適宜調整した後、グリップ１１を光軸に沿って像側（又は被写体側）にスライド移動させることにより、凸部３６は、光軸方向に並ぶいずれか一つの凹部３７の開放端を介してその凹部３７に係入する。それにより、グリップ１１は、調整された回転角度に固定される。かかる構成によれば、グリップ１１の回転角度の調整が効率的に行える。
【００４２】
図１０は、レンズ装置の他の例の構成を示す。なお、上述したレンズ装置３と共通する要素には、共通の符号を付することにより説明を省略する。
【００４３】
上述した光軸を中心とするグリップ１１の回転角度を可変とする構成は、鏡胴１０に対してグリップ１１を回転させるものであるが、以下に説明する例は、撮像装置本体２に対してレンズ装置１０３全体を回転させ、それにより、光軸を中心とするグリップ１１の回転角度を、撮像装置本体２に対して可変とするものである。
【００４４】
レンズ装置１０３は、鏡胴１０と、この鏡胴１０の外周に固定されるグリップ１１とを備えている。
【００４５】
本例において、グリップ１１は、鏡胴１０の外周に固定用ネジ１３によって固定されている。従って、光軸を中心とするグリップ１１の回転角度は、鏡胴１０に対しては不変である。
【００４６】
鏡胴１０の基部にはマウント１１２Ａが設けられている。レンズ装置１０３は、撮像装置本体２（図１参照）に設けられているレンズ装着部にマウント１１２Ａを係合させることによって撮像装置本体２に固定される。
【００４７】
図１１は、マウント１１２Ａの構成を示す。
【００４８】
マウント１１２Ａは、いわゆるバヨネット式のマウントであって、円環状のリング１１３と、その周方向に間隔をおいて設けられた複数の爪１１４とを備えている。撮像装置本体２のレンズ装着部にも複数の爪が設けられており、マウント１１２Ａがレンズ装着部に差し込まれ、光軸を中心としてレンズ装置１０３と共にマウント１１２Ａが回転されることにより、マウント１１２Ａの爪１１４がレンズ装着部の爪に係合し、レンズ装置１０３は撮像装置本体２に固定される。
【００４９】
マウント１１２Ａは、複数のマウント固定用ネジ１１３によって鏡胴１０の基部に締結されている。マウント固定用ネジ１１３は、円環状のマウント１１２Ａにおいて、その周方向に等間隔をおいて、つまりは、光軸を中心に所定角度θおきに配設されている。従って、鏡胴１０は、マウント１１２Ａに対して光軸を中心に所定角度θおきに回転して、マウント１１２Ａに固定可能となっている。
【００５０】
鏡胴１０のマウント１１２Ａに対する固定角度を角度θおきに回転させることにより、レンズ装置１０３が撮像装置本体２に固定された際に、鏡胴１０及び鏡胴１０に固定されたグリップ１１は、撮像装置本体２に対して光軸を中心に角度θおきに回転して配置される。それにより、グリップ１１の回転角度は、撮像装置本体２に対して可変となる。かかる構成により、体格や嗜好といった撮影者の個人差、あるいは撮影条件などに応じてグリップ１１の位置を調整することができ、撮影者への負担を軽減することができる。
【００５１】
図１２は、上述したマウント１１２Ａの変形例の構成を示す。
【００５２】
図１２に示すマウント１１２Ｂは、光軸を中心に所定角度θおきに配設された複数のマウント固定用ネジ１１３によって鏡胴１０の基部に締結される。そして、マウント１１２Ｂにおいて、マウント固定用ネジ１１３による締結部位の各々には、マウント固定用ネジ１１３が挿通される挿通孔１１５が、光軸を中心に所定角度φをおいて複数設けられている。
【００５３】
マウント固定用ネジ１１３による締結部位の各々において、マウント固定用ネジ１１３が挿通される挿通孔１１５を順にずらすことにより、レンズ装置１０３が撮像装置本体２に固定された際に、鏡胴１０及び鏡胴１０に固定されたグリップ１１は、撮像装置本体２に対して光軸を中心に角度φおきに回転して配置される。
【００５４】
そして、挿通孔１１５の配設角度φは、マウント固定用ネジ１１３の配設角度θに比べて小さく設定されている。そこで、上述の通り、鏡胴１０のマウント１１２Ｂに対する固定角度を回転させることによって、撮像装置本体２に対するグリップ１１の回転角度を大まかに調整し、そして、マウント固定用ネジ１１３が挿通される挿通孔１１５をずらすことによって、撮像装置本体２に対するグリップ１１の回転角度をより細かく調整することができる。かかる構成により、体格や嗜好といった撮影者の個人差、あるいは撮影条件などに応じてグリップ１１の位置をより適切に調整することができ、撮影者への負担を一層軽減することができる。
【００５５】
以上、説明したように、本明細書には以下の事項が開示されている。
【００５６】
（１）  結像光学系を構成する複数の光学要素を保持したレンズ鏡胴と、前記レンズ鏡胴に着脱可能に固定されるグリップと、を備え、前記グリップは、前記レンズ鏡胴の外周を包持する固定具を有し、前記固定具は、前記結像光学系の光軸を中心として前記グリップの前記レンズ鏡胴に対する回転角度を調整可能に、前記グリップを前記レンズ鏡胴に固定するレンズ装置。
（２）  上記（１）のレンズ装置であって、前記グリップが前記レンズ鏡胴に固定された状態において、前記光軸を中心とする前記グリップと前記レンズ鏡胴との相対回転を規制する回転規制部を備えるレンズ装置。
（３）  上記（２）のレンズ装置であって、前記固定具の内周及び該固定具に包持される前記レンズ鏡胴の被包持部の外周は、正多角形状に形成されており、前記回転規制部は、前記固定具の内周及び前記被包持部の外周によって構成されるレンズ装置。
（４）  上記（２）のレンズ装置であって、前記固定具の内周及び該固定具に包持される前記レンズ鏡胴の被包持部の外周の一方に凸部が設けられ、他方に前記凸部が係入する凹部が周方向に間隔をおいて複数設けられており、前記回転規制部は、互いに係合する前記凸部及び前記凹部によって構成されるレンズ装置。
（５）  上記（４）のレンズ装置であって、前記グリップは、前記レンズ鏡胴に対して光軸方向にスライド移動可能に固定され、前記複数の凹部の各々は、光軸方向の一端が開放されており、前記グリップの光軸方向のスライド移動に伴って、前記凸部及び前記凹部が係合され、また係脱されるレンズ装置。
（６）  上記（１）から（５）のいずれか一つのレンズ装置であって、前記複数の光学要素は、少なくとも一つの可動光学要素を含み、前記レンズ鏡胴は、前記可動光学要素を操作するための操作環を有しており、前記グリップは、前記操作環を回転駆動するためのドライブユニットを内蔵しているレンズ装置。
（７）  上記（１）から（６）のいずれか一つのレンズ装置を備える撮像装置。
【符号の説明】
【００５７】
１     撮像装置
２     撮像装置本体
３     レンズ装置
１０   鏡胴
１１   グリップ
２０   フォーカスリング
２１   ズームリング
２２   アイリスリング
２５   モータ
２６   減速機構
２７   ポテンショメータ
２８   制御部
３０Ａ 固定具
３１   包持部材
【図１】
2015079015.tif 000003
【図２】
2015079015.tif 000004
【図３】
2015079015.tif 000005
【図４】
2015079015.tif 000006
【図５】
2015079015.tif 000007
【図６】
2015079015.tif 000008
【図７】
2015079015.tif 000009
【図８】
2015079015.tif 000010
【図９】
2015079015.tif 000011
【図１０】
2015079015.tif 000012
【図１１】
2015079015.tif 000013
【図１２】
2015079015.tif 000014